(57)【要約】【課題】樹木を活性化させると言われている磁気やマイナスイオンを活性化にもっとも効率よい態様で作用させる。【解決手段】植物の根茎に巻回固定できる自然分解性素材からなるバンドを製作し、このバンドに磁石片及び／又はトルマリン原石を取り付けたことを特徴とする植物活性器。【選択図】  図６
2004248519.tif 000002
【特許請求の範囲】
【請求項１】
植物の根茎に巻回固定できる自然分解性素材からなるバンドを製作し、このバンドに磁石片及び／又はトルマリン原石を取り付けたことを特徴とする植物活性器。
【請求項２】
バンドに孔をあけ、この孔に磁石片及び／又はトルマリン原石を挿入して自然分解性の接着剤で止めた請求項１の植物活性器。
【請求項３】
バンドの巻回径が調整できるものである請求項１又は２の植物活性器。
【請求項４】
請求項１〜３いずれかの植物活性器を土壌中の植物の根茎に巻き付けたことを特徴とする植物活性器を用いる植物活性化方法。
【請求項５】
巻付け個所が根茎の先端側の細根が生え出る個所である請求項４の植物活性器を用いる植物活性化方法。
【発明の詳細な説明】
【０００１】
【発明の属する技術分野】
本発明は、植物の活力向上を図る植物活性器及びこれを用いる植物活性化方法に関するものである。
【０００２】
【従来の技術】
植物を磁気雰囲気中に曝すと、磁気が有する高いＣＥＣ（陽イオン交換容量）やＥＣ（導電率）によって栄養分の根茎から樹幹への流動性が高められ、生長が促進して活性化すると言われている。この効果を期して植物の樹幹に巻き付ける磁気リングのようなものが提案されている（特開平３−２０６８２０号公報、特開平１０−５６８８３号公報）。又、樹幹の周囲の土壌に敷く磁気マットのようなものも提案されている（特開平６１−２５４１３０号公報）。更に、植物の活性化にはトルマリン組成物も有効とされている。トルマリン組成物から発生するマイナスイオンや遠赤外線が栄養分の供給を高めるからだと言われている。
【０００３】
【発明が解決しようとする課題】
ところが、上記した磁気リングは、地上に存在する樹幹や樹枝に巻き付けるものであるから、根茎で吸い上げられた栄養分が樹幹に送られる途中に作用することになり、根茎やこれから生え出る細根による栄養分の吸収効率を高めるものではない。又、磁気マットにしても同様である。尚、上記した先行例の中には、磁気リングを土中に埋設するものもあるが（特開平６１−２５４１３０号公報）、この磁気リングは、根塊を取り囲むように埋設されるものであるから、個々の根茎に直接作用するものではない。
【０００４】
加えて、この磁気リングは、樹幹にきっちりと巻き付けられており、その径を拡大するにはある種の抵抗が生ずるものになっている。ところが、樹幹は生長によって径太になり、このとき、磁気リングの径大に抵抗があるとすると、樹幹の生長を妨げるものとなる。更に、これらは不腐性のものであるから、何時までも存在し、地球環境にとって好ましいものとは言えない。本発明は、このような課題を解決したものであり、磁気作用やトルマリン作用を植物が活性化するのにもっと効率的な態様で施すようにしたものである。
【０００５】
【課題を解決するための手段】
以上の課題の下、本発明は、請求項１に記載した、植物の根茎に巻回固定できる自然分解性素材からなるバンドを製作し、このバンドに磁石片及び／又はトルマリン原石を取り付けたことを特徴とする植物活性器を提供したものである。本発明の植物活性器は、磁石片やトルマリン原石を取り付けたバンドを植物の根茎に直接巻回したものあるから、個々の根茎に直接作用し、土壌からの栄養分吸収を促進して活性化効果が高い。そして、このときのバンドは、自然分解性素材からなるものであるから、土壌細菌等で分解されて消失し、根茎の成長を妨げたり、環境を害す弊害物として残存したりしない。
【０００６】
これにおいて、バンドに磁石片やトルマリン原石を取り付ける構造として、請求項２に記載した、バンドに孔をあけ、この孔に磁石片及び／又はトルマリン原石を挿入して自然分解性の接着剤で止める方法が考えられる。この接着剤も、自然分解性のものであるから、バンドと共に消失し、地球環境を害すものとしていつまでも残存しない。又、請求項３に記載した、バンドの巻回径が調整できるものであれば、根茎の太さが違うものにも対処できる。
【０００７】
【発明の実施の形態】
以下、本発明の実施の形態を図面を参照して説明する。図１は本発明の一例を示す植物活性器の展開図、図２は図１のＡーＡ断面図、図３は斜視図であるが、この植物活性器Ａは、バンド１とこれに適宜間隔で取り付けられる磁石片２とからなる。このバンド１は、巻回して固定できる構造になっており、そのために両端に係合構造３が施されている。本例の係合構造３は、一端に幅方向に長い長孔３ａ、他端にこの長孔３ａに挿通して係止される突起片３ｂを有するものであり、長孔３ａ及び突起片３ｂはそれぞれ複数設けられて巻回径が調整できるようになっている。
【０００８】
バンド１は、自然分解可能な素材で構成されている。具体的には、天然ゴムであったり、布や紙といった天然繊維であったりする。これらは、可撓性とある程度の弾力性をを有しているから、物の断面形状如何にかわらず、これに対して密着して巻回できるものとなる。磁石片２は、バンド１に止め付けられるが、これには種々の構造がある。例えば、接着剤で表面に止め付けてもよいし、本例のように、バンド１に孔４をあけ、この中に磁石片２を挿入して接着剤で止め付けてもよい。後者の場合、磁石片２をバンド１の厚みとほぼ同じにしておくことで、磁石片２はバンド１の両面にほぼ面一で露出するから、バンド１の両面が使用できることになる。
【０００９】
この磁石片２は永久磁石が使用されるが、このとき、磁力効果を高めにために、磁極の向きはバンド１の面に対して統一しているのが適する（Ｎ極ならＮ極を全部同じ向きにする）。バンド１に取り付けられる磁石片２の大きさや数は特に限定されないが、一般的な磁石片２の大きさ、厚みは、共に３〜５０ｍｍ程度であり、これをバンド１に３〜３０程度並べて取り付ける。従って、バンド１の幅や長さはこれに対応したものになる。又、磁力の強さは、１Ｋガウス以下が適するとされている。
【００１０】
図４は本発明の他の例を示す植物活性器の展開図、図５は要部の断面図であるが、本例のものは、バンド１に磁石片２に代えてトルマリン原石５を取り付けたものである（その大きさ等は磁石片２と同じ）。又、本例では、係合構造３として、一端には孔３ｃ、他端にはこの孔３ｃに挿入できる突起体３ｄを形成したものにしている。尚、図示は省略するが、一つのバンド１に磁石片２とトルマリン原石５を混ぜて取り付けてもよい。又、係合構造３はこれらに限定されるものではなく、その他の構造のものであってもよい。
【００１１】
以上の植物活性器Ａは、植物の根茎に巻き付けられて使用される。図６はその状態を示す説明図、図７は要部の斜視図であるが、この植物活性器Ａ（以下、活性器）は、土壌中にある根茎６に巻き付けられる。この場合も、細根６ａが出ている先端側が適する。これによると、磁石片２の磁力線及びトルマリン原石５のマイナスイオンや遠赤外線が根茎６や細根６ａを活性化して土壌中の栄養分を吸収するのを促進させる。この結果、植物の活力が向上し、生長が促進される。この点、本発明の活性器は、土壌から栄養分を吸収するその根源に作用するものであるから、吸収効果が高いと言える。
【００１２】
ところで、一つの樹幹７には多くの根茎６が出ているが、この活性器はすべての根茎６に巻き付けてもよいし、特定の根茎６だけに巻き付けてもよい。又、一つの根茎６に複数の活性器Ａを巻き付けてもよい。いずれの場合も、活性器Ａの数が多いほど、植物は活性化される。この活性器Ａが植物を活性化している過程で、バンド１は土壌微生物等によって分解されるから、成長に伴う根茎６の径太化があっても、それを阻害しないし、又、環境を害す弊害物として土壌中に残らない。但し、磁石片２やトルマリン原石５は、そのままの位置、形態で土壌中に止まり、根茎５に作用して活性化を続行する。
【００１３】
図８は本発明の他の実施例であるが、本例のものは、以上の活性器Ａを草花に適用したものである。草花の場合、根茎は細くて稠密化しているので、一々巻き付けるのは面倒である。このため、根茎を取り囲む土塊８の周囲に直接巻き付ければよい。
【００１４】
【発明の効果】
以上、本発明の植物活性器によれば、磁石片やトルマリン原石を取り付けたバンドを植物の根茎に直接巻回したものあるから、個々の根茎に直接作用し、土壌からの栄養分吸収を促進して活性化効果が高い。このときのバンドは、自然分解性素材からなるものであるから、土壌細菌等で分解されて消失し、根茎の成長を妨げたり、環境を害す弊害物として残存したりしない。
【図面の簡単な説明】
【図１】本発明の一例を示す植物活性器の展開図である。
【図２】図１のＡーＡ断面図である。
【図３】本発明の一例を示す植物活性器の斜視図である。
【図４】本発明の他の実施例を示す植物活性器の展開図である。
【図５】本発明の他の実施例を示す植物活性器の要部の断面図である。
【図６】本発明の一例を示す植物活性器の使用状態を示す説明図である。
【図７】本発明の一例を示す植物活性器の使用状態を示す要部の斜視図である。
【図８】本発明の更に他の一例を示す植物活性器の使用状態を示す説明図である。
【符号の説明】
Ａ    植物活性器
１    バンド
２    磁石片
３    係合構造
４    孔
５    トルマリン原石
６    根茎
７    樹幹
８    土塊
【図１】
2004248519.tif 000003
【図２】
2004248519.tif 000004
【図３】
2004248519.tif 000005
【図４】
2004248519.tif 000006
【図５】
2004248519.tif 000007
【図６】
2004248519.tif 000008
【図７】
2004248519.tif 000009
【図８】
2004248519.tif 000010